(57)【特許請求の範囲】
【請求項１】
水槽（Ｖ）内に設けられる濾過器（Ｆ）と、この濾過器（Ｆ）の前面に、その前面に差込係合して保持でき、また引張することでそこから分離できるように着脱可能に取り付けられる水質浄化カートリッジ（Ｃ）とを備えた水槽水の浄化装置であって、
前記濾過器（Ｆ）は、濾材（７）を収容した濾過室（５）を有する濾過ケース（１）と、前記濾過室（５）内に水を吸引する水中ポンプ（２）を備え、また、前記水質浄化カートリッジ（Ｃ）は、前記濾過器（Ｆ）とは別体に形成されて、水質浄化剤（２４）を出し入れ可能に収容し得る浄化剤収容室（２３）のみが形成されており、
前記濾過器（Ｆ）は、前記水中ポンプ（２）の駆動により、水槽（Ｖ）内の水を、その前面に開口した第１の吸込孔（８）より濾過室（５）に吸引して、濾材（７）により濾過し、また、前記濾過器（Ｆ）は、前記水質浄化カートリッジ（Ｃ）の取付時に、水槽（Ｖ）内の水を、前記水質浄化カートリッジ（Ｃ）内に吸引して水質浄化剤（２４）により水質浄化したのち、濾過器（Ｆ）内に吸引し濾材（７）により濾過して、水槽（Ｖ）内に還流されるようにしたことを特徴とする、水槽水の浄化装置。
【請求項２】
前記濾過器（Ｆ）は、濾材（７）を収容した濾過室（５）と、迂回室（１０）とを備え、前記水中ポンプ（２）の駆動により、前記水槽（Ｖ）より前記水質浄化カートリッジ（Ｃ）内の水質浄化剤（２４）を通過した水が、濾過室（５）を流れる第１の流れと、迂回室（１０）を流れる第２の流れとに分流した後、水槽（Ｖ）内に戻されるようにされていることを特徴とする、前記請求項１記載の水槽水の浄化装置。
【請求項３】
前記水質浄化カートリッジ（Ｃ）には、その前後面に開口する窓孔（３１）が設けられ、前記水中ポンプ（２）の駆動により水槽（Ｖ）内の水は、浄化剤収容室（２３）に流れる外に、前記窓孔（３１）を通過して濾過器（Ｆ）の濾過室（５）に直接流れるようにされていることを特徴とする、前記請求項１または２記載の水槽水の浄化装置。
【発明の詳細な説明】
【技術分野】
【０００１】
本発明は、観賞魚の飼育用水槽内に設けられ、水槽内の水を濾過すると共にその水質を浄化するようにした、水槽水の浄化装置に関する。
【背景技術】
【０００２】
従来、水槽内で、金魚、熱帯魚、海水魚などの観賞魚の飼育用水槽内に設けられて水槽内の水を濾過するようにした、濾過装置は良く知られている。（後記特許文献１参照）。
【特許文献１】特許第３９５４９２０号公報
【発明の開示】
【発明が解決しようとする課題】
【０００３】
ところで、新規に観賞魚を飼育したり、水変えをしたりする場合のように、水槽内に新しい水を入れた時や、観賞魚の飼育中にも水質の悪化等により、水が濁ったり、臭気を放つたりすることがある。かかる場合には、水の水質浄化するのに、活性炭などの水質浄化剤を用いるのが有効であるが、かかる水質浄化剤は一般に取り扱いが不便であり、水槽の水中に浸漬して使用するときは、これを網袋などに入れて使用するのが一般的なので、これが水中に散乱してしまうことがあり、また、外観上の体裁も良くないという課題があり、さらに、水質浄化剤内を水がうまく通過できずに水中内での充分な浄化機能を発揮できないという別の課題もある。
【０００４】
本発明は、かかる実情に鑑みてなされたもので、前記課題を解決すべく、活性炭などの水質浄化剤を収容したカートリッジを濾過器の濾過ケースに着脱可能に取り付けられるようにして、濾過装置に水質浄化機能を具備させた新規な水槽水の浄化装置を提供することを目的とする。
【課題を解決するための手段】
【０００５】
前記目的達成のため、本請求項１の発明は、水槽内に設けられる濾過器と、この濾過器の前面に、その前面に差込係合して保持でき、また引張することでそこから分離できるように着脱可能に取り付けられる水質浄化カートリッジとを備えた水槽水の浄化装置であって、
前記濾過器は、濾材を収容した濾過室を有する濾過ケースと、前記濾過室内に水を吸引する水中ポンプを備え、また、前記水質浄化カートリッジは、前記濾過器とは別体に形成されて、水質浄化剤を出し入れ可能に収容し得る浄化剤収容室のみが形成されており、
前記濾過器は、前記水中ポンプの駆動により、水槽内の水を、その前面に開口した第１の吸込孔より濾過室に吸引して、濾材により濾過し、また、前記濾過器は、前記水質浄化カートリッジの取付時に、水槽内の水を、前記水質浄化カートリッジ内に吸引して水質浄化剤により水質浄化したのち、濾過器内に吸引し濾材により濾過して、水槽内に還流されるようにしたことを特徴としている。
【０００６】
前記目的達成のため、本請求項２の発明は、前記請求項１のものにおいて、  前記濾過器は、濾材を収容した濾過室と、迂回室とを備え、前記水中ポンプの駆動により、前記水槽より前記水質浄化カートリッジ内の水質浄化剤を通過した水が、濾過室を流れる第１の流れと、迂回室を流れる第２の流れとに分流した後、水槽内に戻されるようにされていることを特徴としている。
【０００７】
前記目的達成のため、本請求項３の発明は、前記請求項１または２記載のものにおいて、前記水質浄化カートリッジには、その前後面に開口する窓孔が設けられ、前記水中ポンプの駆動により水槽内の水は、浄化剤収容室に流れる外に、前記窓孔を通過して濾過器の濾過室に直接流れるようにされていることを特徴としている。
【発明の効果】
【０００８】
請求項各項の発明によれば、濾過器の前面に、水質浄化剤を収容した水質浄化カートリッジを着脱可能に取り付けるだけで、濾過器に何らの手を加えることなく、その濾過器を利用して水槽内の水を能率よく水質浄化することができ、しかも水質浄化剤の交換、取替も簡単、容易に行なうことができる。
【０００９】
また、請求項２の発明によれば、水質浄化カートリッジ内の水質浄化剤を通過した水が、濾過室を流れる第１の流れと、迂回室を流れる第２の流れとに分流した後、水槽内に戻すようにされているので、濾過器に水質浄化カートリッジを取り付けたにもかかわらず、濾過器には濾材を通過する第１の水の流れと、濾材を通過しない第２の水の流れを生成して、濾過能率を高め、しかも濾材の目詰まりを防止することができる。
【００１０】
さらに、請求項３の発明によれば、水槽内の水は、浄化剤収容室に流れる外に、前記窓孔を通過して濾過器の濾過室に直接流れるようにされているので、水の流れを一層スムーズにして、水質浄化作用と濾過作用とを能率よく、的確に行なうことができる。
【発明を実施するための最良の形態】
【００１１】
以下、本発明の実施の形態を添付図面に示した本発明の実施例に基づいて説明する。
【００１２】
図１は、水槽水の浄化装置の斜視図、図２は、図１の２矢視の水槽水の浄化装置の正面図、図３は、図２の３−３線に沿う断面図、図４は、図２の４−４線に沿う断面図、図５は、図２の５−５線に沿う断面図、図６は、濾過器と、水質浄化カートリッジとの斜視図、図７は、図６の７−７線に沿う断面図、図８は、図７の８−８線に沿う断面図、図９は、図７の９矢視図である。
【００１３】
本発明水槽水の浄化装置は、濾過器Ｆと、その前面に着脱可能の取り付けられる水質浄化カートリッジＣとを備えている。
【００１４】
まず、図１〜５を参照して、濾過器Ｆの構成について説明すると、この濾過器Ｆは、基本的には従来のもの（前記特許文献１のもの）と概ね同じ構造を備えており、横断面三角形状の、上下方向に長い角筒状に形成されており、２つ割りの濾過ケース１の上面に水中ポンプ２が着脱可能に接続されている。水中ポンプ２の吸込口は、濾過ケース１の濾過室５内に開口されており、また、その吐出口には、シャワー管３が回動可能に接続されている。シャワー管３には、複数のノズル４が列設されている。
【００１５】
前記濾過ケース１内の濾過室５内には、濾材ホルダ６により保形される濾材７が収容されている。この濾材７は、横断面略三角形の中空筒状に形成されていて、濾過室５内は、この濾材７により、その外側が未浄化室５ａに、その内側が浄化室５ｂに仕切られる。濾過ケース１の前面の下半部には横方向に長い多数の第１の吸込孔８が開口されており、これらの第１の吸込孔８は濾過ケース１内の未浄化室５ａ内に連通される。また、濾過ケース１の下部には、迂回室１０が形成されており、この迂回室１０内には、大きなゴミを取り除くスポンジなどの目の粗いフィルタ１１が収容されている。そして濾過ケース１の前面下部には、前記迂回室１０に連通する縦方向に長い多数の第２の吸込口１２が開口されている。
【００１６】
通常のように、濾過器Ｆは吸盤９により水槽Ｖ内の壁面に吸着保持され、水中ポンプ２の運転によれば、水槽内Ｖの未浄化水は、第１の吸込孔８を通って濾過室５に流入すると同時に第２の吸込孔１２を通って迂回室１０にも流れる。濾過室５に流入した水は、未浄化室５ａより濾材７を通過して濾過されたのち、浄化室５ｂへと流れ、そこから浄化室５ｂ内の吸込通路１３へと流れる（第１の流れ）。一方、迂回室１０に流入した水は、スポンジ１１を通過して大きなゴミが除去されたのち、前記濾材７を通ることなく直接吸込通路１３へと流れる（第２の流れ）。吸込通路１３では、濾過室５からの水と迂回室１０からの水が合流して水中ポンプ２に吸い込まれ、そこからシャワー管３を通り、ノズル４より噴出されて水槽Ｖ内に戻される。
【００１７】
しかして、この濾過器Ｆでは、水中ポンプ２により吸い上げた未浄化水のうち、その一部を濾材７を通過させて濾過する第１の流れとし、また残り水を濾材７を通すことなく水槽Ｖに戻すようにした第２の流れとして、その濾過能率を高めると共に濾材７の目詰まりを防止するようにされている。
【００１８】
つぎに、図６〜９を参照して前記濾過器Ｆの前面の着脱可能に取り付けられる水質浄化カートリッジＣの構造について説明する。
【００１９】
このカートリッジＣのカートリッジケース２０は、硬質の合成樹脂材により、前側ケース半体２１と後側ケース半体２２とを合わせ結合して鞍形状に形成されており、平坦部２０Ａとその両端より内側に傾斜する左右傾斜部２０Ｂ，２０Ｂとを備えている。図８に示すように、前側ケース半体２１の左右両側縁には、その長手方向に間隔をあけて複数の係合突起２９が一体に突設され、一方、後側ケース半体２２の左右側縁には前記係合突起２９の対応して複数の係止孔３０が穿設されており、前、後側ケース半体２９，３０を重ね合わせると、複数の係合突起２９は、複数の係止孔３０にそれぞれ係合してカートリッジケース２０が形成される。そして、このカートリッジケース２０内には、その上下方向の全域にわたり浄化剤収容室２３が画成され、この浄化剤収容室２０内に、活性炭などの水質浄化剤２４が収容される。浄化剤収容室２３の上面には、投入口２５が開口されており、この投入口２５は、蓋体２６より着脱可能に閉じられる。前側ケース半体２１には、浄化剤収容室２３に連通する、多数の小孔よりなる吸込口２７が開口され、この吸込口２７を通して浄化剤収容室２３内に水槽Ｖ内の水が吸い込まれるようにされる。カートリッジケース２０の下方向中央部には、窓孔３１が開けられており、この窓孔３１は前記濾過器Ｆの第１の吸込孔８に直接連通されており（図３参照）、水槽Ｖ内の水は、この窓孔３１を通して濾過器Ｆ内の濾過室５に直接吸い込まれるようにされている。また、図９に示すように、後側ケース半体２２の、前記窓孔３１の両側部および下部には、多数の小孔よりなる左右側部吸出口３２，３２および下部吸出口３３が開口されており、左右側部吸出口３２，３２は、濾過器Ｆの未浄化室５ａに、また、下部吸出口３３は、濾過器Ｆの迂回室１０内にそれぞれ連通される。
【００２０】
図７〜９に示すように、水質浄化カートリッジＣの裏面、すなわち後側ケース半体２２の後面の上下中間部および下部には、それぞれ一対の横係合爪３５，３５および縦係合爪３６，３６が突設されており、これらの係合爪３５，３５および３６，３６は、前記濾過器Ｆの前面に開口した第１の吸込口８および第２の吸込口１２にそれぞれ着脱可能に差込係合され（図４，５参照）、これにより、濾過器Ｆの前面に水質浄化カートリッジＣを着脱可能に係合保持できるようにされている。
【００２１】
つぎに、この実施例の作用について説明する。
【００２２】
水質浄化カートリッジＣの投入口２５より浄化剤収容室２３内に水質浄化剤２４、この実施例では活性炭を投入収容し、このカートリッジＣを、濾過器Ｆの前面に前述の要領にて係合保持させる。
【００２３】
水質浄化カートリッジＣを係合保持した濾過器Ｆを、図１〜３に示すように、水槽Ｖ内にセットする。ここで、水中ポンプ２を駆動すれば、水槽Ｖ内の水は、吸込口２７よりそのカートリッジＣ内に流入すると共に窓孔３１を通して濾過器Ｆ内の未浄化室５ａに直接流入する。
【００２４】
カートリッジＣ内に流入した水は、浄化剤収容室２３内の活性炭２４を通過してにごり、黄ばみ、臭気などが吸着、除去されたのち、濾過器Ｆ内に流入し、ここで濾過室５と迂回室１０とに第１の流れ、および第２の流れとなって分流して流れ、濾過室５内での第１の流れは（図３、ａ）未浄化室５ａから濾材７を通過して濾過されたのち浄化室５ｂへと流れ、一方、迂回室１０内を流れた第２の流れ（図３、ｂ）は、粗なフィルタであるスポンジ１１を通過して粗大なゴミが除去される。濾過室５と迂回室１０とに分流された第１の流れ、および第２の流れの水は濾過室５内の吸込通路１３で合流してシャワー管３に流れ、ノズル４より水槽Ｖ内に戻される。一方、窓孔３１を通して濾過器Ｆ内に直接流入した水は、濾過室５内の濾材７を通り、濾過されたのち、吸込通路１３内で活性炭２４を通過した水と合流してシャワー管３に至り、ノズル４より水槽内に戻される。
【００２５】
以上のように、水槽Ｖ内の未浄化水は、活性炭により、黄ばみ、臭気などが吸着、除去されたのち、濾材７を通過して濾過され、水槽Ｖ内に戻される。
【００２６】
而して、水質浄化カートリッジＣ内に収容される水質浄化剤２４を列挙すれば、下記の通りである。
【００２７】
(1) 商品名：活性炭
材料名：椰子殻活性炭
用途：白にごり、黄ばみ、臭気の吸着除去
(2) 商品名：コケカット
材料名：活性アルミナ
用途：苔やアオコの発生抑制
(3) 商品名：バイオ
材料名：ゼオライト
用途：飼育水の立ち上げ
(4) 商品名：金魚
材料名：牡蠣殻
用途：pHの上げ
水質浄化カートリッジＣは、濾過器Ｆの前方に引張することにより、その濾過器Ｆから容易に分離することができ、蓋体２６を外して、水質浄化剤２４の交換、取替を簡単に行なうことができる。
【００２８】
以上本発明の一実施例について説明したが、本発明はその実施例に限定されることなく、本発明の範囲内で種々の実施例が可能である。
【００２９】
たとえば、前記実施例では、水質浄化カートリッジは、水槽内のコーナーに設置する濾過器に取り付ける場合について説明したが、これを他の内部式濾過器にも取り付けることができる。
【図面の簡単な説明】
【００３０】
【図１】水槽水の浄化装置の斜視図
【図２】図１の２矢視の水槽水の浄化装置の正面図
【図３】図２の３−３線に沿う断面図
【図４】図２の４−４線に沿う断面図
【図５】図２の５−５線に沿う断面図
【図６】濾過器と、水質浄化カートリッジとの斜視図
【図７】図６の７−７線に沿う断面図
【図８】図７の８−８線に沿う断面図
【図９】図７の９矢視図
【符号の説明】
【００３１】
１・・・・・・・・・・・濾過ケース
２・・・・・・・・・・・水中ポンプ
５・・・・・・・・・・・濾過室
７・・・・・・・・・・・濾材
８・・・・・・・・・・・第１の吸込孔
１０・・・・・・・・・・・迂回室
２３・・・・・・・・・・・浄化剤収容室
２４・・・・・・・・・・・水質浄化剤
３１・・・・・・・・・・・窓孔
Ｃ・・・・・・・・・・・水質浄化カートリッジ
Ｆ・・・・・・・・・・・濾過器
Ｖ・・・・・・・・・・・水槽
【図１】
0005113538.tif 000002
【図２】
0005113538.tif 000003
【図３】
0005113538.tif 000004
【図４】
0005113538.tif 000005
【図５】
0005113538.tif 000006
【図６】
0005113538.tif 000007
【図７】
0005113538.tif 000008
【図８】
0005113538.tif 000009
【図９】
0005113538.tif 000010